(57)【特許請求の範囲】
【請求項１】
四角形のマスが縦横同数形成されたマス目からなる競技面を有する遊戯盤と、少なくとも二人以上の競技者がそれぞれ担当することとなる種類を有し、前記遊戯盤のマス内に個々に載置することとなる複数の遊戯石と、から構成される盤上遊戯具において、遊戯石が並べられたマス内に載置して用いる遊戯用の道具であって、
前記遊戯盤のマス内に並べられた遊戯石が外部から視認できないように覆い隠してなる被覆手段を備えると共に、当該被覆手段の上面に、新たな遊戯石の載置を可能とする拡張競技領域を設けてなり、さらに、当該拡張競技領域に載置される新たな遊戯石の外側を囲むこととなる突出した位置決め手段を備える、
ことを特徴とする遊戯拡張具。
【請求項２】
少なくとも上記拡張競技領域は、遊戯盤のマスの形状とは異なる形状であることを特徴とする請求項１に記載の遊戯拡張具。
【請求項３】
マス目からなる競技面を有する遊戯盤と、
少なくとも二人以上の競技者がそれぞれ担当することとなる数の種類を有し、前記遊戯盤のマス内に個々に載置する複数の遊戯石と、
前記遊戯石が並べられた各マス内にそれぞれ載置され、当該遊戯石が外部から視認できないように覆い隠してなる被覆手段を備えると共に、当該被覆手段の上面に、新たな遊戯石の載置を可能とする拡張競技領域を設けてなる複数の遊戯拡張具と、
から構成されることを特徴とする盤上遊戯具。
【請求項４】
前記遊戯拡張具は、前記拡張競技領域に載置される新たな遊戯石の外側を囲むこととなる突出した位置決め手段をさらに備えることを特徴とする請求項３に記載の盤上遊戯具。
【発明の詳細な説明】
【技術分野】
【０００１】  本発明は、遊戯盤上のマス目に並べた遊戯石の多さを争う対戦型の盤上遊戯具に用いられる遊戯拡張具と、この遊戯拡張具を用いる盤上遊戯具である。詳しくは、これまでの遊び方を変更することなく、遊戯盤上の全てのマスに遊戯石を並べた後も引き続き延長して楽しむことができるようにした盤上遊戯の改良に関する。
【背景技術】
【０００２】  マス目からなる競技面を有する遊戯盤上のマス内に並べた遊戯石の多さを争う対戦型の遊びの一つとして、源平碁やリバーシ（Ｒｅｖｅｒｓｉ）、もしくはオセロ（Ｏｔｈｅｌｌｏ：登録商標）と称される盤上遊戯が広く知られている。
この遊びは、古くから知られており、ルールが単純明快であることから老若男女を問わず万人が楽しむことができるものとなっている。【０００３】  この遊びの具体的なルールは、たとえば、まず、一面側に黒色が施されると共に他面側に白色が施された、円盤状をした遊戯石を遊戯盤上に設けたマス目の一マスに交互に載置する。この際、自分を識別する色彩の二つの遊戯石が縦、横、斜めにおいて相手を識別する色彩の遊戯石を挟んだとき、相手を識別する色彩の遊戯石を裏返して自分を識別する色彩の遊戯石とするものである。そして、遊戯盤上の全てのマス内に遊戯石を並べた後、自分を識別する色彩の遊戯石の数と相手を識別する色彩の遊戯石の数とを比較し、多くの遊戯石を並べた者を勝者とするものである（非特許文献１を参照）。【０００４】  近年、このような遊びを行うための遊戯具に様々な工夫を施したものが提案されている。
たとえば、遊戯中に駒（遊戯石）が所定のマス目から区画線を越えて隣接するマス目内にはみ出すのを防止し得る手段が講じられた遊戯具が提案されている（特許文献１を参照）。
また、遊戯盤上に摺動可能に複数の移動盤を設けることで、従来の遊びを改良した新規で奥が深く興趣ある遊戯具も提案されている（特許文献２を参照）。【０００５】  しかしながら、何れの遊戯具においても、遊戯盤上の全てのマスに遊戯石が並べられたら遊びは終了となり、引き続き遊びを楽しむには、もう一度最初から行わなければならない。
また、どのマス内に遊戯石を置くかといった興趣性はあるものの、戦術としての定石があり、相手に定石通りに進行された場合、途中で形勢を逆転することが難しく、射幸性に欠けるものである。すなわち、相手に悪手を誘う、いわゆる変化手が行うことが難しく、途中から面白みが低下してしまうものである。
【先行技術文献】
【特許文献】
【０００６】
【特許文献１】実用新案登録第３１６２４９０号公報
【特許文献２】特開２０１２−２５４２２７号公報
【非特許文献】
【０００７】
【非特許文献１】フリー百科事典『ウィキペディア（Ｗｉｋｉｐｅｄｉａ）』「オセロ（遊戯）」＜ｈｔｔｐｓ：／／ｊａ．ｗｉｋｉｐｅｄｉａ．ｏｒｇ／ｗｉｋｉ／％Ｅ３％８２％ＡＡ％Ｅ３％８２％ＢＢ％Ｅ３％８３％ＡＤ＿（％Ｅ９％８１％８Ａ％Ｅ６％８８％ＡＦ）＞
【発明の概要】
【発明が解決しようとする課題】
【０００８】  本発明は、上記事情に鑑みて成されたものであり、これまでの遊び方を変更することなく、遊戯盤上の全てのマスに遊戯石を並べた後も引き続き延長して楽しむことを可能とした、射幸性の向上した盤上遊戯具を提供することを目的とする。
【課題を解決するための手段】
【０００９】  本発明に係る盤上遊戯具は、四角形のマスが縦横同数形成されたマス目からなる競技面を有する遊戯盤と、少なくとも二人以上の競技者がそれぞれ担当することとなる数の種類を有し、遊戯盤のマス内に個々に載置する複数の遊戯石と、遊戯石が並べられた各マス内にそれぞれ載置される複数の遊戯拡張具と、から構成されている。【００１０】  この遊戯石は、各競技者が自他識別可能とするものあれば良く、たとえば、競技者の数だけ形状や色彩、模様がそれぞれ異なる複数の種類を競技者ごとに個々に設けるようにしても良い。また、遊戯石は、形状は同じであるが、競技者の数だけ色彩や模様がそれぞれ異なる複数の種類を競技者ごとに個々に設けるようにしても良い。さらに、遊戯石は、競技者の数に相当する複数の面を有する単一のものとし、各面の色彩や模様が異なることで、各競技者が自他識別可能とするものでも良い。【００１１】  すなわち、遊戯石を単一のものとした場合、たとえば、競技者が二人であれば、表面と裏面といった二つの面で識別可能な色彩や模様が施された円形などの平盤体とすることができる。また、競技者が四人であれば、四つの面でそれぞれ識別可能な色彩や模様が施された正三角錐などの四面体とすることができる。遊戯石は、識別可能な複数の面を有する単一のものとすることで、各競技者が一つの遊戯石を共通して効率良く用いることができるものとなるので望ましい。【００１２】  遊戯拡張具は、本願の発明者によって提案された遊戯用の新たな道具であって、遊戯石が外部から視認できないように覆い隠してなる被覆手段を備えると共に、被覆手段の上面に、新たな遊戯石の載置を可能とする拡張競技領域を設けてなり、さらに、当該拡張競技領域に載置される新たな遊戯石の外側を囲むこととなる突出した位置決め手段を備える。
この遊戯拡張具は、これまでの遊び方を基本的に変更することなく、同じ遊び方を踏襲して用いることができる。【００１３】  すなわち、本発明に係る遊戯拡張具は、本発明に係る盤上遊戯具だけに用いられるものではなく、マス目からなる競技面を有する遊戯盤と、少なくとも二人以上の競技者がそれぞれ担当することとなる種類を有し、遊戯盤のマス内に個々に載置することとなる複数の遊戯石と、から構成された従来の盤上遊戯具においても用いることができるものである。【００１４】  ここで、上述した「これまでの遊び方」とは、各競技者がマス内に遊戯石を順番に並べていき、一人の競技者が担当する種類の遊戯石が、競技面の縦、横、斜めにおいて他の競技者が担当する種類の遊戯石を挟んだ場合に、挟まれた遊戯石の種類を挟んだ遊戯石の種類に変更する条件（ルール）をいう。そして、この遊びでは、全てのマス内に遊戯石を並べた結果、最終的にどの種類の遊戯石が競技面に一番多く並べられているかを競うものとなっている。【００１５】  一方、本発明に係る遊戯拡張具を用いた遊び方がこれまでの遊び方と異なる点としては、遊戯盤上の平面的なマス目の他に、各マス内に個々に載置される遊戯拡張具の上面に設けられた拡張競技領域をも競技面とする立体的なものある。ゆえに、本発明に係る遊戯拡張具での遊び方は、遊戯盤の全てのマス内に遊戯石を並べるこれまでの遊び方に引き続き、マス内に並べられた遊戯石が外部から視認できないように遊戯拡張具で覆い隠すことで形成された個々の拡張競技領域の全てに、新たな遊戯石をそれぞれ並べるものとする。その結果、最終的にどの種類の遊戯石が競技面に一番多く並べられているか（並べられていたか）、その数を競うものである。【００１６】  したがって、この盤上遊戯具を用いた競技（遊戯）での勝敗は、たとえば、遊戯盤のマス目に並べられた遊戯石の個々の数と、遊戯拡張具の拡張競技領域に並べられた遊戯石の個々の数とで別々に判断しても良いし、遊戯石の種類ごとにその数を合算して判断しても良い。すなわち、遊戯盤のマス目に遊戯石を並べる場合を第一ゲームとし、遊戯拡張具の拡張競技領域に遊戯石を並べる場合を第二ゲームとして判断するものとしても良い。また、遊戯盤のマス目に遊戯石を並べる場合を前半、遊戯拡張具の拡張競技領域に遊戯石を並べる場合を後半として、それぞれの終了時点での遊戯石の数の合計で判断するものとしても良い。【００１７】  また、この盤上遊戯具を用いた遊び方は、遊戯盤のマス目の全てのマス内に遊戯石を並べ、引き続き当該遊戯石が外部から視認できないように遊戯拡張具で個々に覆い隠すことで形成された全ての拡張競技領域に、新たな遊戯石をそれぞれ並べることで終了として良い。さらに、遊戯盤のマス目から遊戯拡張具を個々に取り去って、覆い隠された全ての遊戯石を露呈させることを第三ゲームもしくは延長戦として行うものとしても良い。【００１８】  また、本発明に係る遊戯拡張具において拡張競技領域は、遊戯盤のマスの形状とは異なる形状であることが望ましい。すなわち、遊戯盤のマスの形状は四角形（正方形）であるから、拡張競技領域の形状は、たとえば、平面視形状が八角形や円形とすることが望ましい。このように遊戯盤のマスの形状と拡張競技領域の形状とを異なるものとすることで、隣接して配された遊戯拡張具における拡張競技領域同士の間に隙間が生じる。そして、マス内に載置した遊戯拡張具を取り除く際に、当該隙間への指の挿入が可能となり、隣接する遊戯拡張具が邪魔になることなく、目的とする遊戯拡張具を摘まんで取り除く作業が容易に行えるものとなる。
【発明の効果】
【００１９】  本発明の盤上遊戯具は、新たな遊戯石の載置を可能とする拡張競技領域を設けた遊戯拡張具を備える。ゆえに、遊戯盤上の全てのマスに遊戯石を平面的に並べた後、この遊戯石を遊戯拡張具によって覆い隠すことで、遊戯盤のマス目に並べられた個々の遊戯石の上方に新たな競技面をそれぞれ設け、マス目に平行な競技領域を立体的に備えるものとすることができる。【００２０】  したがって、マス目からなる競技面を有する遊戯盤と、当該遊戯盤のマス内に個々に載置することとなる複数の遊戯石と、から構成される従来の盤上遊戯具でのこれまでの遊び方を変更することなく、遊戯盤上の全てのマスに遊戯石を並べた後も引き続き延長して遊びを楽しむことが可能な、射幸性の向上した盤上遊戯具を提供することができる。【００２１】  また、本発明の遊戯拡張具は、遊戯盤のマス目の個々のマス内にそれぞれ載置し、上面に設けられた全ての拡張競技領域に新たな遊戯石をそれぞれ並べた後、引き続き遊戯盤のマス目から取り去ることができる。ゆえに、覆い隠された遊戯石を露呈させることで、恰も競技者が遊戯盤のマス目に新たに遊戯石を並べたようにして延長して遊びを楽しむことが可能となる。【００２２】  さらに、遊戯拡張具を取り去ることで露呈する遊戯石の種類は、競技者の意図に関係なく遊戯拡張具を被せた時のものである。ゆえに、その種類を記憶しておかないと相手の競技者に優位な一手（相手の競技者が担当する種類の遊戯石を並べたもの）となりかねず、意外性を備えた遊びとすることができる。【００２３】  しかも、遊戯盤のマス目に並べられた遊戯石は、遊戯拡張具の上面に新たな遊戯石を並べることで他の種類の遊戯石を挟むと、その都度種類が変更されるものとなる。ゆえに、全てのマスに遊戯石が並べられた際に全体を記憶したとしても、遊戯拡張具を被せた時の遊戯石の種類を確実に記憶しておかないと、悪手になりかねない非常に高い記憶力を要する遊びといえる。
【図面の簡単な説明】
【００２４】
【図１】  本発明に係る盤上遊戯具の構成を示す概略図である。
【図２】  本発明に係る遊戯拡張具を示す斜視図である。
【図３】  本発明に係る遊戯拡張具を示す平面図である。
【図４】  ［図３］に示すＩ−Ｉ線に沿う遊戯拡張具の断面図である。
【図５】  本発明に係る盤上遊戯具を用いたこれまでの遊び方を説明する概略図である。
【図６】  本発明に係る盤上遊戯具において遊戯拡張具の使い方を説明する（Ａ）遊戯石に遊戯拡張具を被せる状態を示す斜視図、（Ｂ）遊戯石に遊戯拡張具を被せた後の状態を示す中央縦断面図である。
【図７】  本発明に係る盤上遊戯具において遊戯拡張具を用いた新たな遊び方を説明する概略図である。
【図８】  本発明に係る盤上遊戯具において遊戯拡張具を用いた新たな遊び方を説明する概略図である。
【図９】  本発明に係る盤上遊戯具において遊戯拡張具の使い方を説明する（Ａ）遊戯拡張具の上面に設けられた拡張競技領域に新たな遊戯石を載置した状態を示す中央縦断面図、（Ｂ）その平面図である。
【図１０】  本発明に係る盤上遊戯具において遊戯拡張具を用いた新たな遊び方を説明する概略図である。
【図１１】  本発明に係る盤上遊戯具において遊戯拡張具を用いた新たな遊び方を説明する概略図である。
【図１２】  本発明に係る盤上遊戯具において遊戯拡張具を取り去る更なる遊び方を説明する概略図である。
【図１３】  本発明に係る盤上遊戯具において遊戯拡張具を取り去る更なる遊び方を説明する概略図である。
【図１４】  本発明に係る盤上遊戯具において遊戯拡張具を取り去る更なる遊び方を説明する概略図である。
【図１５】  本発明に係る盤上遊戯具において遊戯拡張具の更なる使い方を説明する、遊戯拡張具の上に積み重ねた新たな遊戯拡張具の上面に設けられた拡張競技領域に新たな遊戯石を載置する状態を示す中央縦断面図である。
【発明を実施するための形態】
【００２５】  以下、本発明に係る遊戯拡張具を用いた盤上遊戯具の実施の形態の一例について、図面に基づき説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２６】  図１に示すように、本実施の形態における盤上遊戯具５０は、遊戯盤２０と、複数の遊戯石３０・・３０と、複数の遊戯拡張具１０・・１０と、を備えることにより構成されている。
【００２７】  遊戯盤２０は、盤面２１の上に、縦横同数のマス２３が形成されたマス目２２からなる競技面を有する。
図においてマス目２２は、縦にマス２３が８個、横にマス２３が８個それぞれ設けられた、合計６４個のマス２３を有するものとして示されている。ゆえに、競技面２２の縦、横だけでなく、斜めにおいても一直線状に遊戯石３０を並べることができるものとなっている。なお、マス目２２は、８行×８列のマス２３で構成されたものに限定されることなく、縦横同数のマス２３が形成されるものであれば、マス２３の数は適宜増減しても良い。
【００２８】  また、マス２３は、上面が平坦であるのが一般的であるが、遊戯石３０の外径と同じもしくは若干大きい寸法で窪んだものとしても良い。これにより、マス３内に置かれた遊戯石３０の位置が乱れることなく整列するものとなり、遊戯拡張具１０のマス２３内への載置が整然と行えるものとなる。
【００２９】  遊戯石３０は、遊戯盤２０のマス２３内に個々に載置することが可能な形状及び大きさをし、各競技者がそれぞれ担当することとなる種類の識別が可能なものとなっている。この遊戯石３０としては、たとえば、二人の競技者がそれぞれ担当する種類の識別が可能なように、一面側と他面側とで色彩が異なるものとすることができる。
図において遊戯石３０は、一面側が白色、他面側が黒色である、平面視形状が円形をした、円盤状の単一のものとして示されている。
【００３０】  ゆえに、遊戯石３０の形状や大きさ、色彩の組み合わせが全く同じ単一のものであっても、円盤状をした遊戯石３０を反転させることで、各競技者がそれぞれ担当することとなる種類の識別が可能なものとなっている。
なお、遊戯石３０は、各競技者がそれぞれ担当する種類の識別が可能なものであれば、一面側と他面側とで色彩が異なるものに限定されることなく、一面側と他面側とで模様が異なるものとしても良い。この模様としては、たとえば、動物や花の絵の他に、戦国武将や競技者の家紋といった紋章を施したものとすることができる。
【００３１】  遊戯拡張具１０は、遊戯盤２０と遊戯石３０とから構成された従来の盤上遊戯具でのこれまでの遊び方を基本的に変更することなく、同じ遊び方を踏襲して用いることを可能とする遊戯用の道具である。この遊戯拡張具１０は、遊戯石３０が並べられた各マス２３・・２３内にそれぞれ載置される形状及び大きさをしたものであって、図２乃至図４に示すように、被覆手段１１を備えると共に、その上面に拡張競技領域１２が設けられたものとなっている。
【００３２】  被覆手段１１は、遊戯石２３が外部から視認できないように覆い隠してなる逆凹状をした部材であって、周壁部１１１と天部１１２とから構成されたものとなっている。すなわち、被覆手段１１は、平板状をした天部１１２の周縁部から下方に向かって垂下した周壁部１１１を有するものとなっている。
【００３３】  拡張競技領域１２は、被覆手段１１の上面に新たな遊戯石３０の載置を可能とする平坦な部位である。すなわち、拡張競技領域１２は、覆い隠した遊戯石３０の上方に新たな遊戯石３０を積み重ねることを可能とするため、被覆手段１１の天部１１２の外面（上面）が兼ねるものとなっている。
【００３４】  この拡張競技領域１２は、遊戯盤２０におけるマス２３の形状（四角形）とは異なる形状、たとえば、平面視形状が八角形や円形とすることが望ましい。すなわち、遊戯盤２０のマス２３の形状と、拡張競技領域１２の形状とが同じであると、遊戯拡張具１０がマス目２２に隙間なく並べられたものとなってしまう。その結果、任意のマス２３内に載置した遊戯拡張具１０を一つだけ取り除く際に、遊戯拡張具１０の上縁や側面を摘まむための指の挿入が困難なものとならざるを得ない。
【００３５】  ゆえに、遊戯盤２０のマス２３の形状と、拡張競技領域１２の形状とを異なるものとすることで、隣接する拡張競技領域１２，１２同士の間に隙間Ｓが生じ、マス２３内に載置した遊戯拡張具１０を取り除く際に当該隙間Ｓへの指の挿入が可能となる。その結果、隣接する遊戯拡張具１０が邪魔にならずに、目的とする遊戯拡張具１０を取り除く作業を容易に行うことができるものとなる。
図において遊戯拡張具１０は、周壁部１１１が八面体、及び拡張競技領域１２を兼ねる天部１１２が平面視形状八角形をした、高さが低く平たい逆さ凹状体をしたものとして示されている。
【００３６】  なお、拡張競技領域１２は平坦であっても良いが、遊戯盤２０のマス２３と同様に、遊戯石３０の外径と同じもしくは若干大きい寸法で窪んだものとしても良い。これにより、拡張競技領域１２に置かれた遊戯石３０の位置が乱れることなく整列するものとなり、拡張競技領域１２への遊戯石３０の載置が容易に、かつ、確実に安定して行えるものとなる。
【００３７】  また、遊戯拡張具１０は、拡張競技領域１２に載置される遊戯石３０の外側を囲むこととなる位置に、突出した位置決め手段を備えるものとしても良い。この位置決め手段は、拡張競技領域１２から遊戯石３０がはみ出してしまうことを防止するものであって、たとえば、図に示すように、複数の凸部１５・・１５から構成されるものとすることができる。図において凸部１５は、八角形をした拡張競技領域１２の各角部の近傍においてドーム状に突出する８個の凸部１５・・１５から構成されるものとして示されている。
【００３８】  なお、凸部１５は、必ずしも拡張競技領域１２の各角部近傍に設ける必要はなく、たとえば、半分の四ヵ所に設けるものとしても良い。また、凸部１５は、ドーム状に限らず、連続した土手状をしたものとしても良い。
【００３９】  また、遊戯拡張具１０は、互いの積み重ね（拡張競技領域１２の上部へのさらなる積み重ね）を可能とするガイド手段をさらに備える。このガイド手段は、積み重ねられる遊戯拡張具１０同士が互いに接する被覆手段１１の下部に設けても良いし、拡張競技領域１２の上面に設けても良いし、被覆手段１１の下部と拡張競技領域１２の上面の双方に設けるものとしても良い。
【００４０】  すなわち、ガイド手段は、拡張競技領域１２の上面外縁に係止するように被覆手段１１の下端部に係止片を設けるようにしても良いし、被覆手段１１の下端部が係止されるように拡張競技領域１２の上面に係止突起を設けるようにしても良い。また、ガイド手段は、被覆手段１１の下端部と拡張競技領域１２の上面が嵌合するように、一方に突起を設けると共に、他方に孔部を設けるようにしても良い。
【００４１】  図においてガイド手段は、下方に位置する遊戯拡張具１０の拡張競技領域１２において、上方に位置して載置された遊戯拡張具１０の下端部のすぐ内側に相当する位置に設けられた、ドーム状に突出する８個の複数の凸部１５・・１５から構成されるものと示されている。すなわち、本実施の形態においてガイド手段は、位置決め手段を兼ねた複数の凸部１５・・１５として設けられたものとなっている。
【００４２】  次に、このように構成された遊戯拡張具１０を備える盤上遊戯具５０での遊び方の一例として、一面側が黒色、他面側が白色である、平面視形状が円形をした円盤状の単一の遊戯石３０を用い、二人の競技者のうち一方が黒色の遊戯石を担当し、他方が白色の遊戯石を担当するものとして競技を行う場合について説明する。
【００４３】  まず、マス目２２の中央に位置する縦横各２個のマス（合計４つのマス）２３・・２３内に、右上と左下が黒色、左上と右下が白色になるように、互い違いに遊戯石３０をそれぞれ配置する。
次いで、この状態から黒色の遊戯石３０を担当する競技者を先手として競技を開始する。二人の競技者は、残りの空いているマス２３内に自分が担当する種類（色彩）の遊戯石３０を順番（交互）に並べていく。
【００４４】  この際、一人の競技者がマス２３内に遊戯石３０を並べることで、競技面２２の縦、横、斜めにおいて他の競技者が担当する種類の遊戯石３０を挟んだ場合、挟まれた他の競技者が担当する種類の遊戯石３０を全てひっくり返し、挟んだ遊戯石３０と同じ種類へと変更する。
【００４５】  そして、図５に示すように、全てのマス２３が埋まるまで交互に遊戯石３０を並べる。
従来の盤上遊戯具であれば、これにより競技が終了し、数多く並べられた色彩の遊戯石３０を担当する競技者が勝ちとなるが、本発明では、遊戯拡張具１０を用いることで引き続き競技を延長して楽しむことができる。
【００４６】  ゆえに、ここでは、全てのマス２３が遊戯石３０で埋め尽くされた時点を第一ゲームとして、多く並べられた色彩の遊戯石３０を担当する競技者がポイントを獲得するものとして中間判定を行うことができる。そして、引き続き行われる第二ゲームが終了した後に、獲得したポイントの数で競技の勝敗を決定する。
また、全てのマス２３が遊戯石３０で埋め尽くされた時点を前半戦とし、各競技者が担当する遊戯石の数をかぞえてそれぞれ控え、引き続き行われる後半戦が終了した後に、各競技者が担当する遊戯石の数と合算して競技の勝敗の決定するものとしても良い。
【００４７】  図５においては、黒色の遊戯石３０の数が３０個、白色の遊戯石３０の数が３４個となり、白色の遊戯石３０を担当する競技者が第一ゲームのポイントを獲得したもの、もしくは白色の遊戯石３０を担当する競技者が前半戦を４個分リードしているものとなっている。
【００４８】  本盤上遊戯具５０では、引き続き競技を拡張して楽しむことができるものとなっている。
すなわち、図６及び図７に示すように、遊戯盤２０のマス２３内に並べられた遊戯石３０が外部から視認できないように遊戯拡張具１０で覆い隠すと共に、図８及び図９に示すように、この遊戯拡張具１０の上面に設けられた拡張競技領域１２を競技面として、新たな遊戯石３０を積み重ねるように載置して第二ゲームもしくは後半戦を行う。
【００４９】  図６において、白色である一面３０ａ側が表面に露呈し、黒色である他面３０ｂ側が裏面となっている、平面視形状が円形をした円盤状の単一の遊戯石３０を遊戯拡張具１０で覆い隠す状態が示されている。
【００５０】  また、図７において、マス目２２における一番左端の列の一番下の行のマス２３に並べられた白色の遊戯石３０を遊戯拡張具１０で覆い隠す状態が示されている。
ここで、説明の便宜上、マス目２２におけるマス２３の位置を、アルファベットのＡ〜Ｈを用いて「列」を示し、数字の１〜８を用いて「行」を示すものとする。ゆえに、図７では、Ａ列の８行目に位置するマス２３内に並べられた白色の遊戯石３０が、点線矢印で示すように遊戯拡張具１０で覆い隠されるものとして示されている。
【００５１】  なお、マス目２２におけるマス２３の位置は、以下、アルファベットと数字だけで示すものとする。したがって、上述したＡ列の８行目に位置するマス２３は、単に「Ａ８」と示されるものとなる。
【００５２】  そして、図８及び図９において、白色の遊戯石３０を覆い隠した遊戯拡張具１０の拡張競技領域１２に、新たに黒色の遊戯石３０を並べた状態が示されている。
ここで、図面において説明の便宜上、盤面２１に直接載置された遊戯石３０−１と示し、遊戯拡張具１０の拡張競技領域１２に載置された遊戯石３０−２と示すものとし、以下、他の図面でも同様の符号を付して示すものとする。したがって、図９においては、白色の遊戯石３０−１が遊戯拡張具１０で覆い隠され、この遊戯拡張具１０の上面に設けられた拡張競技領域１２に、黒色の遊戯石３０−２が載置されたものとして示されている。
【００５３】  また、図９において、遊戯拡張具１０の拡張競技領域１２に置かれた遊戯石３０−２は、複数の凸部１５・・１５によって拡張競技領域１２からはみ出る（位置が乱れる）ことなく整列して置かれたものとなっている。
【００５４】  この際、Ａ８のマスに黒色の遊戯石３０−２を並べることで、Ｈ１のマスに並べられている黒色の遊戯石３０−１によって、Ａ８のマスとＨ１のマスを直線で結んだ競技面２２の斜めに位置する各マスにそれぞれ並べられた６個の白色の遊戯石３０−１を挟み込んだものとなる。具体的には、Ｂ７のマスと、Ｃ６のマスと、Ｄ５のマスと、Ｅ４のマスと、Ｆ３のマスと、Ｇ２のマスにそれぞれ並べられた６個の白色の遊戯石３０−１が、Ａ８のマスとＨ１のマスに並べられた２つの黒色の遊戯石３０−２，３０−１で挟まれたものとなる。
【００５５】  そうすると、図１０に示すように、Ａ８のマスとＨ１のマスに並べられた２つの黒色の遊戯石３０−２，３０−１で挟まれた６個の白色の遊戯石３０−１が、全てひっくり返されて黒色の遊戯石３０−１へ変更されるものとなる。
図１０において、Ｂ７のマスと、Ｃ６のマスと、Ｄ５のマスと、Ｅ４のマスと、Ｆ３のマスと、Ｇ２のマスにそれぞれ並べられていた白色の遊戯石３０−１が、全て黒色の遊戯石３０−１へ変更された状態が示されている。
【００５６】  そして、図１１に示すように、全てのマス２３が埋まるまで交互に遊戯拡張具１０を載置すると共に、その拡張競技領域１２に遊戯石３０−２を並べていく。
これにより、第二ゲームもしくは後半戦が終了し、獲得したポイントの数もしくは担当する遊戯石３０の数で競技の勝敗の決定することができる。
【００５７】  図１１においては、黒色の遊戯石３０の数が４７個、白色の遊戯石３０の数が１７個となっている。
そうすると、第二ゲームでは、黒色の遊戯石３０を担当する競技者がポイントを獲得したものなり、第一ゲームは白色の遊戯石３０を担当する競技者がポイントを獲得したので、ゲームの獲得ポイントは１対１の引き分けとなる。または、前半戦の遊戯石３０の数と後半戦の遊戯石３０の数とを合算すると、黒色の遊戯石３０の数は、前半戦の３０個と後半戦の４７個を足した合計７７個、白色の遊戯石３０の数は、前半戦の３４個と後半戦の１７個を足した合計５１個となり、黒色の遊戯石３０を担当する競技者が２６個差で勝ったものとなる。
【００５８】  本発明では、遊戯拡張具１０をさらに用いることで引き続き競技を延長して楽しむことができる。
すなわち、図１２及び図１３に示すように、遊戯盤２０のマス目２２から遊戯拡張具１０と遊戯石３０−２を取り去って、覆い隠された遊戯石３０−１を露呈させることで第三ゲームもしくは延長戦を行うものである。
【００５９】  図１２に示すように、遊戯拡張具１０は、遊戯盤２０のマス２３内に並べられた複数の遊戯拡張具１０における拡張競技領域１２同士の間に形成された隙間Ｓに指を挿入することで、隣接する遊戯拡張具１０が邪魔にならずに目的とする遊戯拡張具１０だけを容易に取り除くことができる。
図１２において、複数の遊戯拡張具１０における拡張競技領域１２同士の間に隙間Ｓが生じ、Ｇ７のマスと、Ｇ８のマスと、Ｈ７のマスと、Ｈ８のマスとの間に、指を挿入する場合が例示されている。
【００６０】  そして、図１３に示すように、Ｈ８のマスに載置された遊戯拡張具１０と遊戯石３０−２を取り去ることで、盤面２１に直接載置された遊戯石３０−１を露呈させる。
図１３において、Ｈ８のマスから白色の遊戯石３０−２を遊戯拡張具１０と共に取り除くことで、黒色の遊戯石３０−１が露呈した状態が示されている。
【００６１】  この際、Ｈ８のマスに黒色の遊戯石３０−１が露呈することで、新たに黒色の遊戯石３０−１をＨ８のマスに並べたものとして扱う。そうすると、Ｈ５のマスに載置されている遊戯拡張具１０の拡張競技領域１２に並べられた黒色の遊戯石３０−２によって、Ｈ５のマスとＨ８のマスを直線で結んだ競技面２２の縦に位置する各マスにそれぞれ並べられた２個の白色の遊戯石３０−２が、２つの黒色の遊戯石３０−１，３０−２で挟まれたものとなる。また、同時にＦ８のマスとＨ８のマスを直線で結んだ競技面２２の横に位置するマスに並べられた１個の白色の遊戯石３０−２が、２つの黒色の遊戯石３０−１，３０−２で挟まれたものとなる。さらに、同時にＦ６のマスとＨ８のマスを直線で結んだ競技面２２の斜めに位置するマスに並べられた１個の白色の遊戯石３０−２が、２つの黒色の遊戯石３０−１，３０−２で挟まれたものとなる。
【００６２】  そうすると、図１４に示すように、Ｈ５のマスとＨ８のマスに並べられた２つの黒色の遊戯石３０−１，３０−２で挟まれた２個の白色の遊戯石３０−２と、Ｆ８のマスとＨ８のマスに並べられた２つの黒色の遊戯石３０−１，３０−２で挟まれた１個の白色の遊戯石３０−２と、Ｆ６のマスとＨ８のマスに並べられた２つの黒色の遊戯石３０−１，３０−２で挟まれた１個の白色の遊戯石３０−２が、全てひっくり返されて黒色の遊戯石３０−２へ変更されるものとなる。
【００６３】  図１４において、Ｇ７のマスと、Ｇ８のマスと、Ｈ６のマスと、Ｈ７のマスにそれぞれ並べられていた白色の遊戯石３０−２が、全て黒色の遊戯石３０−２へ変更された状態が示されている。
【００６４】  そして、これ以降同様に、遊戯盤２０の個々のマス目２２から遊戯石３０−２と遊戯拡張具１０を全て取り去って、覆い隠された全ての遊戯石３０−１を露呈させることで、第三ゲームもしくは延長戦を行うものとしても良い。
【００６５】  以上のように本発明では、遊戯盤２０のマス目２２の他に、各マス２３内に個々に載置される遊戯拡張具１０の上面に設けられた拡張競技領域１２をも競技面とする点が、これまでの遊び方とは異なるものとなっている。
【００６６】  ゆえに、本発明に係る遊戯拡張具１０を用いた盤上遊戯具５０での遊び方は、遊戯盤２０の全てのマス２３内に遊戯石３０を並べるこれまでの遊び方に引き続き、マス２３内に並べられた遊戯石３０が外部から視認できないように遊戯拡張具１０で覆い隠すことで形成された個々の拡張競技領域１２の全てに、新たな遊戯石３０をそれぞれ並べるものとする。その結果、最終的にどの種類の遊戯石３０が競技面２２に一番多く並べられているか（並べられていたか）、その数を競うものである。
【００６７】  したがって、この盤上遊戯具５０での競技（遊戯）の勝敗は、たとえば、遊戯盤２０のマス目２２に並べられた遊戯石３０の個々の数と、遊戯拡張具１０の拡張競技領域１２に並べられた遊戯石３０の個々の数とで別々に判断しても良いし、遊戯石３０の種類ごとにその数を合算して判断しても良い。
【００６８】  すなわち、遊戯盤２０のマス目２２に直接遊戯石３０−１を並べる場合を第一ゲームとし、遊戯拡張具１０の拡張競技領域１２に遊戯石３０−２を並べる場合を第二ゲームとして勝敗を判断するものとしても良い。
また、遊戯盤２０のマス目２２に直接遊戯石３０−１を並べる場合を前半戦とし、遊戯拡張具１０の拡張競技領域１２に遊戯石３０−２を並べる場合を後半戦とすることで、それぞれの終了時点での遊戯石３０−１，３０−２の数の合計で勝敗を判断するものとしても良い。
【００６９】  また、本発明に係る盤上遊戯具５０での遊び方は、遊戯拡張具１０の上面に設けられた拡張競技領域１２に新たな遊戯石３０−２をそれぞれ並べることに引き続き、さらに、遊戯石３０−２と遊戯拡張具１０を取り去って、覆い隠された全ての遊戯石３０−１を個々に露呈させることを第三ゲームもしくは延長戦として行うものとしても良い。
【００７０】  さらに、本発明に係る盤上遊戯具５０での遊び方は、遊戯拡張具１０の上面に設けられた拡張競技領域１２に新たな遊戯石３０−２が並べられた後、すぐに遊戯石３０−２と遊戯拡張具１０を取り去ることはせずに、図１５に示すように、引き続きこの遊戯拡張具１０−１を一段目として、その上に新たな（二段目の）遊戯拡張具１０−２をさらに積み上げて遊戯石３０−２を覆い隠し、新たな遊戯拡張具１０−２の拡張競技領域１２に新たな遊戯石３０−３を並べることをそれぞれ複数段繰り返すものとすることができる。
【００７１】  すなわち、本発明における盤上遊戯具５０では、遊戯拡張具１０を複数段積み重ねて用いることで、遊戯盤２０のマス目２２に並べられた個々の遊戯石３０−１の上方に、複数の遊戯拡張具１０−１，１０−２・・・によって、マス目２２に平行な複数の拡張競技領域１２・・・からなる新たな競技面を立体的に複数備えるものとすることができる。
【００７２】  このように、本発明における遊び方においては、複数段積み上げられた遊戯拡張具１０を一段ごと個々に取り去って、覆い隠された遊戯石３０を露呈させることで、積み上げた遊戯拡張具１０の数だけ遊びを延長して楽しむことができる。
【符号の説明】
【００７３】  Ｓ      隙間
１０    遊戯拡張具
１１    被覆手段
１２    拡張競技領域
１５    凸部（位置決め手段）
２０    遊戯盤
２１    盤面
２２    マス目
２３    マス
３０    遊戯石
３０ａ  一面側
３０ｂ  他面側
５０    盤上遊戯具
１１１  周壁部
１１２  天部
【要約】      （修正有）【課題】これまでの遊び方を変更することなく、遊戯盤上の全てのマスに遊戯石を並べた後も引き続き延長して楽しむことができる盤上遊戯具を提供する。【解決手段】本発明の盤上遊戯具５０は、マス目２２からなる競技面を有する遊戯盤２０と、マス目の各マス２３内に個々に載置する複数の遊戯石３０と、遊戯石が並べられた各マス内にそれぞれ載置される複数の遊戯拡張具１０とから構成される。遊戯石は、少なくとも二人以上の競技者がそれぞれ担当することとなる種類を有する。遊戯拡張具は、遊戯石が外部から視認できないように覆い隠すと共に、その上面に、新たな遊戯石の載置を可能とする拡張競技領域が設けられたものとなっている。ゆえに、遊戯盤上の全てのマス内に遊戯石が並べられた後は、引き続き遊戯石を覆い隠すように遊戯拡張具を被せて上面に新たな遊戯石を載置することで、盤上遊戯具での遊びを延長して楽しむことができる。【選択図】図１【図１】
0006823239.tif 000002
【図２】
0006823239.tif 000003
【図３】
0006823239.tif 000004
【図４】
0006823239.tif 000005
【図５】
0006823239.tif 000006
【図６】
0006823239.tif 000007
【図７】
0006823239.tif 000008
【図８】
0006823239.tif 000009
【図９】
0006823239.tif 000010
【図１０】
0006823239.tif 000011
【図１１】
0006823239.tif 000012
【図１２】
0006823239.tif 000013
【図１３】
0006823239.tif 000014
【図１４】
0006823239.tif 000015
【図１５】
0006823239.tif 000016